【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】
光を介して読み出すことが可能なマーク列として情報が記録されている主情報領域と、コントロールデータ領域とを有する情報記録層を備えている光記憶媒体であって、前記コントロールデータ領域に、当該光記憶媒体に関する光記憶媒体情報がマーク列をラジアル方向へ変位することで記録されていることを特徴とする光記憶媒体。
【請求項２】
前記主情報領域に記録されるマーク列が、光が入射する側に対して凹もしくは凸のマーク列である、請求項１に記載の光記憶媒体。
【請求項３】
前記主情報領域に記録されるマーク列がラジアル方向へ変位されている、請求項１に記載の光記憶媒体。
【請求項４】
トラックピッチをＴｐ2としたとき、前記マーク列の変位量の最大振幅がＴｐ2／３０以下である、請求項１に記載の光記憶媒体。
【請求項５】
前記マーク列のラジアル方向への変位量は、前記光記憶媒体情報を記録しない光記憶媒体において許容されるラジアル方向の変位量以内である、請求項１に記載の光記憶媒体。
【請求項６】
コントロールデータ領域におけるトラックピッチをＴｐ1とし、マークの幅をＭｗ1としたとき、
０．３×Ｔｐ1≦Ｍｗ1≦０．７×Ｔｐ1
の関係が成り立つ、請求項１に記載の光記憶媒体。
【請求項７】
コントロールデータ領域に記録されるマークの幅をＭｗ1とし、主情報領域に記録されるマークの幅をＭｗ2としたとき、
Ｍｗ1＞Ｍｗ2
の関係が成り立つ、請求項１に記載の光記憶媒体。
【請求項８】
主情報領域におけるトラックピッチをＴｐ2、マークの幅をＭｗ2としたとき、
Ｍｗ2＜０．５×Ｔｐ2
の関係がさらに成り立つ、請求項１に記載の光記憶媒体。
【請求項９】
ラジアル方向への変位が、マーク列におけるスペースのタイミングで行われる、請求項１に記載の光記憶媒体。
【請求項１０】
マーク列は、情報を再生する際に用いられる同期パターンを特定の周期で有しており、前記同期パターンと同期してラジアル方向への変位が行われている、請求項１に記載の光記憶媒体。
【請求項１１】
１つの同期パターンの周期をＣｙ1とし、ラジアル方向への変位の周期をＣｙ2としたとき、
Ｃｙ2＝Ｃｙ1×Ｍ／２      （Ｍは自然数）
の関係が成り立つ、請求項１０に記載の光記憶媒体。
【請求項１２】
１つの同期パターンの周期をＣｙ1とし、ラジアル方向への変位の周期をＣｙ2としたとき、
Ｃｙ1＝Ｃｙ2×Ｍ／２      （Ｍは自然数）
の関係が成り立つ、請求項１０に記載の光記憶媒体。
【請求項１３】
コントロールデータ領域に記録されるマークの長さをＭＬ1とし、前記マークを記録する際に照射される光の波長をλとし、光を照射する光学系の開口数をＮＡとしたとき、
ＭＬ1≧２×λ／ＮＡ
の関係が成り立つ、請求項１に記載の光記憶媒体。
【請求項１４】
コントロールデータ領域に記録されるマークの長さをＭＬ1とし、前記マークを記録する際に照射される光の波長をλとし、光を照射する光学系の開口数をＮＡとしたとき、
ＭＬ1≧λ／（２×ＮＡ）
の関係が成り立つ、請求項１に記載の光記憶媒体。
【請求項１５】
コントロールデータ領域に記録されるマーク及びスペースのそれぞれの長さが、所定の周期Ｔを基本として、当該周期Ｔの整数倍である、請求項１に記載の光記憶媒体。
【請求項１６】
マーク及びスペースがそれぞれ単一の長さである、請求項１５に記載の光記憶媒体。
【請求項１７】
主情報領域に記録される情報が暗号化されたデータ情報であり、前記光記憶媒体情報が、前記データ情報の暗号を解くための鍵情報を含む、請求項１に記載の光記憶媒体。
【請求項１８】
前記光記憶媒体情報が、正規の製造がなされた光記憶媒体であることもしくは情報を再生しても良いことを示す識別情報を含む、請求項１に記載の光記憶媒体。
【請求項１９】
ラジアル方向への変位の周期が、マークとスペースの一対の長さの４倍以上である、請求項１に記載の光記憶媒体。
【請求項２０】
ラジアル方向への変位の周期が、所定の周期Ｔを基本として、当該周期Ｔの整数倍である、請求項１に記載の光記憶媒体。
【請求項２１】
コントロールデータ領域に記録されるマークもしくは溝の光学的な深さをＭｄ1とし、前記マークもしくは溝を記録する際に照射される光の波長をλとしたとき、
λ／８≦Ｍｄ1≦λ／４
の関係が成り立つ、請求項１に記載の光記憶媒体。
【請求項２２】
前記コントロールデータ領域におけるラジアル方向への変位の周波数が、トラッキングサーボ帯域よりも高い周波数である、請求項１に記載の光記憶媒体。
【請求項２３】
ラジアル方向への変位が、トラッキングサーボの帯域内で直流成分を持たない、請求項１に記載の光記憶媒体。
【請求項２４】
ラジアル方向へ変位するタイミングが、疑似ランダムである、請求項１に記載の光記憶媒体。
【請求項２５】
前記光記憶媒体情報の１ビットに対し、ラジアル方向への変位が複数周期割り当てられた、請求項１に記載の光記憶媒体。
【請求項２６】
少なくとも前記光記憶媒体情報の１ビットは、複数の前記フレームの記録マークをラジアル方向へ微少量変位させることによって記録されている、請求項２５に記載の光記憶媒体。
【請求項２７】
前記複数フレームは、光記憶媒体のトラック上に連続配置されたフレーム群、あるいはトラック上に所定間隔で離散的に配置されたフレーム群である、請求項２６に記載の光記憶媒体。
【請求項２８】
前記光記憶媒体情報が離散的に記録された、請求項１に記載の光記憶媒体。
【請求項２９】
前記光記憶媒体情報が連続的に記録された、請求項１に記載の光記憶媒体。
【請求項３０】
コントロールデータ領域のトラックピッチＴｐ1が、主情報領域のトラックピッチＴｐ2と異なる、請求項１に記載の光記憶媒体。
【請求項３１】
コントロールデータ領域のトラックピッチＴｐ1が、主情報領域のトラックピッチＴｐ2よりも大きい、請求項３０記載の光記憶媒体。
【請求項３２】
前記情報記録層を複数備え、
前記複数の情報記録層の少なくとも１つの情報記録層の主情報領域に凹または凸のマーク列として情報が記録され、
前記複数の情報記録層の少なくとも１つの情報記録層のコントロールデータ領域に、全ての情報記録層に関する光記憶媒体情報が記録されている、請求項１に記載の光記憶媒体。
【請求項３３】
前記複数の情報記録層の各コントロールデータ領域に、全ての情報記録層に関する光記憶媒体情報が記録されている、請求項３２に記載の光記憶媒体。
【請求項３４】
当該光記憶媒体の基準層におけるコントロールデータ領域に、全ての情報記録層に関する光記憶媒体情報が記録されている、請求項３２に記載の光記憶媒体。
【請求項３５】
前記情報記録層として、再生専用型、追記型、および書き換え可能型のうち少なくとも２種類の情報記録層を有する光記憶媒体であって、前記光記憶媒体情報がコントロールデータ領域の大略同じ半径位置に記録されている、請求項３２に記載の光記憶媒体。
【請求項３６】
光記憶媒体情報として記録される情報が、トラッキング誤差信号の極性に関する情報を含んでいる、請求項１に記載の光記憶媒体。
【請求項３７】
光記憶媒体情報として記録される情報が、前記複数の情報記録層に情報を記録するために形成された表面形状に関する記録層情報を含んでいる、請求項１に記載の光記憶媒体。
【請求項３８】
光記憶媒体情報として記録される情報が、前記複数の情報記録層に情報を記録するために形成された表面形状の深さに関する情報を含んでいる、請求項１のいずれか一項に記載の光記憶媒体。